(57)【要約】【課題】可動体に配設される電気部品に接続する配線が絡むのを防止し得る遊技機を提供する。【解決手段】基台部材８３の前面に、可動体５４が上下方向に移動自在に配設される。基台部材８３の裏側から配線引き出し口８８を介して前側に引き出されたハーネスＨの一端が、可動体５４の可動体用基板にコネクタ接続される。基台部材８３に回動自在に配設された配線保持部材１００に、配線引き出し口８８と可動体５４との間のハーネスＨが保持される。配線保持部材１００は、可動体５４の待機位置から可動位置への移動に伴い引っ張られるハーネスＨによって自由端部が可動体５４の移動経路に位置するように回動する。また、可動体５４の可動位置から待機位置への移動に際して、可動体５４の当接部が配線保持部材１００に当接した際には、配線保持部材１００は自由端部が移動経路から退避するように回動する。【選択図】図３
2014100351.tif 000002
【特許請求の範囲】
【請求項１】
設置部の設置面に沿って移動自在に配設され、駆動手段の駆動により第１位置と第２位置との間を移動される可動体を備える遊技機において、
前記可動体に設けられて一体的に移動する電気部品と、
前記電気部品に一端がコネクタ接続されると共に、他端が設置部に設けた基板にコネクタ接続される配線と、
前記設置部に対して設置面と交差する軸回りに揺動自在に枢支された配線保持部材とを備え、
前記配線保持部材に、揺動支点から径方向に延在するように内部画成され、前記配線が挿通される通路と、揺動支点から離間する自由端部に形成され、前記通路から電気部品にコネクタ接続される側の配線が外方に引き出される通孔とが設けられ、
前記配線保持部材は、前記可動体の第１位置から第２位置への移動に伴い引っ張られる配線によって自由端部が可動体の移動経路に位置するように回動し、該可動体の第２位置から第１位置への移動に際して該可動体が配線保持部材に当接した際には自由端部が移動経路から退避するように回動可能に構成された
ことを特徴とする遊技機。
【請求項２】
前記可動体における第２位置から第１位置への移動方向前側の端部に、前記第２位置から第１位置への移動に際して配線保持部材における通孔形成部より揺動支点側に当接可能な当接部が設けられた請求項１記載の遊技機。
【請求項３】
前記電気部品に接続する配線は、前記可動体における第２位置から第１位置への移動方向前方に延在した後に前記配線保持部材の通路に引き込まれるよう構成され、
前記配線保持部材の揺動支点は、第１位置に位置する可動体の側方に位置すると共に、可動体が第１位置に位置する状態において配線保持部材は、自由端部が可動体における第２位置から第１位置への移動方向前側に位置する傾斜姿勢となるよう構成される請求項１または２記載の遊技機。
【請求項４】
前記配線保持部材の通孔は、前記可動体が第１位置に位置する状態において前記電気部品に接続する配線の可動体からの延出部側に偏った位置に設けられる請求項１〜３の何れか一項に記載の遊技機。
【請求項５】
前記配線保持部材は、長手方向の一端部が前記設置部に揺動自在に枢支されるベース体と、ベース体に着脱自在に配設されて該ベース体との間に前記通路を画成する蓋部材とから構成された請求項１〜４の何れか一項に記載の遊技機。
【発明の詳細な説明】
【技術分野】
【０００１】
本発明は、駆動手段の駆動により移動される可動体を備える遊技機に関するものである。
【背景技術】
【０００２】
代表的な遊技機であるパチンコ機は、機内にセットされる遊技盤の盤面に画成した遊技領域の略中央位置に枠状の装飾部材が配設されて、該装飾部材の窓口から液晶式やドラム式等の図柄表示装置を臨ませ、この図柄表示装置で図柄変動に伴うリーチ演出等の各種の遊技演出を行なうよう構成されている。また前記装飾部材に、所要の動作を行なう可動体を備えた可動演出装置を配設し、該可動体を前記図柄表示装置で行なわれる遊技演出に合わせて動作させることにより、視覚的な演出効果を向上させ、遊技の興趣を高めるようにしたパチンコ機も知られている。
【０００３】
またパチンコ機では、可動体自体に発光装置を配設し、該可動体の移動によって発光装置による発光位置を変化させることで、演出効果を高めることが提案されている(例えば、特許文献１参照)。
【先行技術文献】
【特許文献】
【０００４】
【特許文献１】特開２００３−２３６０８８号公報
【発明の概要】
【発明が解決しようとする課題】
【０００５】
前記可動体と共に発光装置が一体で移動する構成においては、該発光装置に一端がコネクタ接続された配線は、装飾部材または遊技盤の裏側に配設される基板にコネクタ接続される。この場合に、発光装置(可動体)の移動によって配線の発光装置とのコネクタ接続部または基板とのコネクタ接続部が外れることがないように、両コネクタ接続部の間の配線の長さは、発光装置の移動量より長く設定する必要がある。
【０００６】
しかるに、長い配線は屈曲し易く、また発光装置の移動に際し意図しない方向に屈曲してしまい、可動体に接触したり可動体自体に絡まるおそれがある。そして、配線が可動体に絡まってしまうと、配線に負荷が掛かり、可動体(発光装置)の動作を阻害したり、配線と発光装置または基板とのコネクタ接続部が外れる問題を招いてしまう。
【０００７】
すなわち本発明は、従来の技術に係る遊技機に内在する前記課題に鑑み、これを好適に解決するべく提案されたものであって、可動体に配設される電気部品に接続する配線が絡むのを防止し得る遊技機を提供することを目的とする。
【０００８】
前記課題を解決するために、本願の請求項１に記載の発明では、
設置部(50)の設置面(84a)に沿って移動自在に配設され、駆動手段(74)の駆動により第１位置と第２位置との間を移動される可動体(54)を備える遊技機において、
前記可動体(54)に設けられて一体的に移動する電気部品(70)と、
前記電気部品(70)に一端がコネクタ接続されると共に、他端が設置部(50)に設けた基板(49)にコネクタ接続される配線(H)と、
前記設置部(50)に対して設置面(84a)と交差する軸回りに揺動自在に枢支された配線保持部材(100)とを備え、
前記配線保持部材(100)に、揺動支点から径方向に延在するように内部画成され、前記配線(H)が挿通される通路(110)と、揺動支点から離間する自由端部に形成され、前記通路(110)から電気部品(70)にコネクタ接続される側の配線(H)が外方に引き出される通孔(110a)とが設けられ、
前記配線保持部材(100)は、前記可動体(54)の第１位置から第２位置への移動に伴い引っ張られる配線(H)によって自由端部が可動体(54)の移動経路(R)に位置するように回動し、該可動体(54)の第２位置から第１位置への移動に際して該可動体(54)が配線保持部材(100)に当接した際には自由端部が移動経路(R)から退避するように回動可能に構成されたことを要旨とする。
【０００９】
請求項１に係る発明によれば、可動体の移動に伴って揺動し得る配線保持部材に配線を挿通して保持することで、可動体の移動に際して配線が意図しない方向に屈曲するのを規制して、配線が可動体に絡まるのを防ぐことができる。また、可動体が第２位置から第１位置に移動する際に、該可動体が配線保持部材に当接し得るよう構成したので、該配線保持部材から導出する配線を可動体から離間する方向に積極的に移動させることができ、該配線が可動体に絡まるのを確実に防ぐことができる。従って、可動体の動作が配線によって阻害されたり、配線のコネクタ接続部が外れる問題が発生するのを防止し得る。
【００１０】
請求項２に記載の発明では、前記可動体(54)における第２位置から第１位置への移動方向前側の端部に、前記第２位置から第１位置への移動に際して配線保持部材(100)における通孔形成部より揺動支点側に当接可能な当接部(69)が設けられたことを要旨とする。
請求項２に係る発明によれば、可動体が第２位置から第１位置へ移動する際に、移動方向前側の当接部が配線保持部材における通孔形成部より揺動支点側に当接して該配線保持部材を回動し得るので、可動体から配線を確実に離間させることができる。
【００１１】
請求項３に記載の発明では、前記電気部品に接続する配線(H)は、前記可動体(54)における第２位置から第１位置への移動方向前方に延在した後に前記配線保持部材(100)の通路(110)に引き込まれるよう構成され、
前記配線保持部材(100)の揺動支点は、第１位置に位置する可動体(54)の側方に位置すると共に、可動体(54)が第１位置に位置する状態において配線保持部材(100)は、自由端部が可動体(54)における第２位置から第１位置への移動方向前側に位置する傾斜姿勢となるよう構成されることを要旨とする。
請求項３に係る発明によれば、可動体が第１位置から第２位置へ移動する間の長い期間に亘って配線を保持して、該配線が屈曲するのを防ぐことができる。
【００１２】
請求項４に記載の発明では、前記配線保持部材(100)の通孔(110a)は、前記可動体(54)が第１位置に位置する状態において前記電気部品(70)に接続する配線(H)の可動体(54)からの延出部側に偏った位置に設けられることを要旨とする。
請求項４に係る発明によれば、配線保持部材の通孔は可動体からの配線の延出部側に偏って開口しているので、配線を屈曲することなく通路内に引き込むことができ、配線に大きな負荷が加わるのを抑制し得る。
【００１３】
請求項５に記載の発明では、前記配線保持部材(100)は、長手方向の一端部(105)が前記設置部(50)に揺動自在に枢支されるベース体(101)と、ベース体(101)に着脱自在に配設されて該ベース体(101)との間に前記通路(110)を画成する蓋部材(107)とから構成されたことを要旨とする。
請求項５に係る発明によれば、配線保持部材をベース体と蓋部材とから構成したので、通路に配線を挿通させる作業が容易となる。
【発明の効果】
【００１４】
本発明に係る遊技機によれば、可動体の動作が配線で阻害されたり配線のコネクタ接続部が外れるのを防止することができる。
【図面の簡単な説明】
【００１５】
【図１】実施例に係るパチンコ機を示す正面図である。
【図２】実施例に係る遊技盤の正面図である。
【図３】実施例に係る設置部材から第３可動演出装置を分離した状態を前側から見た斜視図である。
【図４】実施例に係る第３可動演出装置を後側から見た分解斜視図である。
【図５】実施例に係る配線保持部材を示す図であり、(ａ)は、前側から見た分解斜視図、(ｂ)は、一部を拡大して示す部分断面図である。
【図６】実施例に係る第３可動演出装置の要部縦断側面図である。
【図７】実施例に係る第３可動演出装置を裏側から見た動作工程図であって、台座部を省略している。
【図８】実施例に係る第３可動演出装置を前側から見た動作工程である。
【発明を実施するための形態】
【００１６】
次に、本発明に係る遊技機につき、好適な実施例を挙げて、添付図面を参照して以下に説明する。なお、実施例では、遊技球としてパチンコ球を用いて遊技を行なうパチンコ機を例に挙げて説明する。また、以下の説明において、「前」、「後」、「左」、「右」とは、特に断りのない限り、図１に示すようにパチンコ機を前側(遊技者側)から見た状態で指称する。
【実施例】
【００１７】
(パチンコ機１０について)
実施例に係るパチンコ機１０は、図１に示すように、全体として縦長の矩形状に構成されており、遊技者がパチンコ機１０の前面に向かう姿勢でパチンコ遊技を行うことができるよう、パチンコ球の発射操作を行うための操作ハンドル２１が前面右下部に設けられている。このパチンコ機１０には、矩形枠状に形成されて遊技店の図示しない設置枠台に固定される固定枠としての外枠１１の開口前面側に、後述する遊技盤１３(図２参照)を着脱可能に保持する本体枠としての中枠１２が開閉および着脱可能に組付けられると共に、遊技盤１３の後側に、図柄を変動表示可能な図柄表示装置３５が着脱し得るよう配設されている。また、中枠１２の前面側には、遊技盤１３を透視可能に保護する透明板を窓部に備えた装飾枠としての前枠１４が開閉可能に組付けられると共に、該前枠１４の下方にパチンコ球を貯留する下球受け皿１５が開閉可能に組付けられる。なお、実施例では、前枠１４の下部位置に、パチンコ球を貯留する上球受け皿１６が一体的に組付けられており、前枠１４の開閉に合わせて上球受け皿１６も一体的に開閉するよう構成される。前記前枠１４には、下球受け皿１５の側方に、前記中枠１２に配設された打球発射装置(図示せず)を作動する前記操作ハンドル２１が設けられ、該操作ハンドル２１の回動操作によって打球発射装置が作動されて、前記上球受け皿１６に貯留されたパチンコ球が前記遊技盤１３に向けて発射されるようになっている。なお、実施例では、前記図柄表示装置３５としては、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の図柄表示装置を採用し得る。
【００１８】
(遊技盤１３について)
前記遊技盤１３は、図２に示すように、前面(盤面)にパチンコ球が流下可能な遊技領域１３ａが画成されたベニヤ板からなる平板状の板部材であって、該遊技盤１３の裏側に、光透過性の合成樹脂材により前方へ開口した箱状に形成されて、前記図柄表示装置３５や後述する各種演出装置４２,５１,５２,５３等が配設される設置部材(設置部)５０とから構成されている。遊技盤１３および設置部材５０は、正面視における外郭形状が略整合する大きさおよび形状に形成されて、遊技盤１３の後面に設置部材５０を取着した状態で、設置部材５０が遊技盤１３の後面を全面的に覆うよう構成されている。なお、遊技盤１３をアクリルやポリカーボネート等の合成樹脂材により光透過性を有するよう形成してもよい。この場合には、設置部材５０を不透明な合成樹脂材により形成することで、裏側の構成をパチンコ機１０前方から視認し難くしておくことが好ましい。
【００１９】
図２に示すように、前記遊技盤１３の前面には、左側部の上下隅部に第１および第２盤面保護部材３８ａ,３８ｂが夫々配設されると共に、右側部において上下隅部に亘るように第３盤面保護部材３８ｃが配設されている。これら第１〜第３盤面保護部材３８ａ,３８ｂ,３８ｃの夫々は、遊技盤１３の中心側を向く内縁が円弧状に形成されており、第１盤面保護部材３８ａ、第２盤面保護部材３８ｂおよび第３盤面保護部材３８ｃの上端部の内縁に沿って円弧状の案内レール３８ｄが配設されている。そして、案内レール３８ｄおよび右側に配設された第３盤面保護部材３８ｃによって、パチンコ球が流下可能な略円形状の遊技領域１３ａが画成される。また遊技盤１３には、枠状装飾体３９および第１および第２サイド装飾体４０,４１が遊技領域１３ａに臨むように配設されると共に、これら装飾体３９,４０,４１の周囲に多数の遊技釘が植設されて、流下するパチンコ球の挙動を複雑に変化させ得るよう構成されている。
【００２０】
前記枠状装飾体３９は、図１および図２に示すように、全体として大小２つの輪を上下に連結した所謂「８の字」状をなすもので、上側の輪の内側には、設置部材５０に配設された図柄表示装置３５や各種演出装置４２,５１,５２,５３を前側に露出させる第１可視開口３９ａが設けられ、下側の輪の内側には、設置部材５０に配設された入賞球演出装置４２を前側に露出させる第２可視開口３９ｂが設けられている。また、枠状装飾体３９には、遊技領域１３ａから入賞可能な第１および第２始動口４５ａ,４５ｂが設けられると共に、第１および第２可視開口３９ａ,３９ｂの間には、第１始動口４５ａへ入賞したパチンコ球を振り分けて入賞球演出装置４２へ誘導するステージ４３が形成されている。更に、枠状装飾体３９には、遊技盤１３に配設したゲート通過口３９ｃへのパチンコ球の通過をトリガとする普通図柄当否抽選の結果に基づいて第２始動口４５ｂを開放するよう駆動される開閉部材４５ｃが配設されている。なお、入賞球演出装置４２は、第１始動口４５ａへ入球(入賞)したパチンコ球を振分ける演出を実行し得るよう構成されている。
【００２１】
前記第１および第２サイド装飾部材４０,４１は、普通入賞口が設けられると共に遊技領域１３ａの下方領域を装飾する部材として構成されている。遊技領域の右側下部に配設される第２サイド装飾部材４１は、図１および図２に示すように、始動入賞に基づく大当り遊技においてパチンコ球が入賞可能な特別入賞口４６ａを有する特別入賞装置４６を備えており、該特別入賞装置４６には、第１または第２始動口４５ａ,４５ｂへのパチンコ球の入賞をトリガとする特別図柄当否抽選(大当り抽選)の結果に基づいて特別入賞口４６ａを開放するよう駆動される開閉部材４６ｂが設けられている。なお、遊技領域の左側下部に配設された第１サイド装飾部材４０に３つの普通入賞口が設けられるのに対し、右側下部に配設された第２サイド装飾部材４１には１つの普通入賞口が設けられている。
【００２２】
(設置部材５０について)
前記設置部材(設置部)５０は、図３に示す如く、矩形状の背壁５０ａと、該背壁５０ａの周縁から前方へ向けて突出する囲い壁５０ｂとから前方に開口する矩形箱状に形成された部材であって、該設置部材５０は、囲い壁５０ｂの前縁から外側方へ延在するフランジ５０ｃを遊技盤１３の後面に当接した状態で取付けられる。また、背壁５０ａには、該背壁５０ａの後面に配設された図柄表示装置３５の表示面３５ａを前方へ露出させる表示面用開口部５０ｄが表示面３５ａに倣う形状に形成されている。
【００２３】
前記設置部材５０の内側には、表示面用開口部５０ｄの上側に第１可動演出装置５１(図１および図２参照)が配設されると共に、表示面用開口部５０ｄの左右両側には第２可動演出装置５２が夫々配設されている。第１可動演出装置５１および第２可動演出装置５２は、図柄表示装置３５の表示面３５ａで表示される図柄変動演出に関連して、表示面３５ａの前側を中央部に対して近接・離間する動作を行うよう構成される。また、収容部における内側下半部の中央において、入賞球演出装置４２が枠状装飾体３９の第２可視開口３９ｂを介して前側へ露出する位置に配設されると共に、該入賞球演出装置４２の後方に第３可動演出装置５３が配設されている。
【００２４】
(第３可動演出装置５３について)
前記第３可動演出装置５３は、図３および図４に示すように、可動体用基板(電気部品)７０を内蔵した可動体５４と、該可動体５４を待機位置(第１位置)および可動位置(第２位置)の間を往復移動させる駆動機構５５と、該駆動機構５５および可動体５４が配設される台座部５６と、該台座部５６および可動体５４に設けられて該可動体５４の移動方向を規制するガイド機構５７とを備えている。第３可動演出装置５３は、駆動機構５５の駆動に応じて、可動体５４がガイド機構５７に案内されて上下方向に移動し得るよう構成されている。また、可動体５４は、常には表示面用開口部５０ｄよりも下方で台座部５６の前側に重なる移動始端としての最下部の待機位置に位置し、入賞球演出装置４２により前側が覆われることで、遊技盤１３の前方から枠状装飾体３９の第１および第２可視開口３９ａ,３９ｂを介して視認することが不可能な状態とされている(図１参照)。一方、可動体５４が移動終端である最上部の可動位置に移動した場合には、台座部５６より上方に位置して表示面用開口部５０ｄ(または表示面３５ａ)の前側に重なり、遊技盤１３の前方から第１可視開口３９ａを介して視認し得る状態(図２参照)となるよう構成されている。
【００２５】
前記設置部材５０における背壁５０ａの後面には、図示しない制御装置に電気的に接続する中継基板(基板)４９が表示面用開口部５０ｄの下方部位に配設されており、該中継基板４９に一端がコネクタ接続されたハーネス(配線)Ｈが、背壁５０ａに形成した通孔５０ｅおよび台座部５６に形成した後述の配線引き出し口８８を介して該台座部５６の前側に引き出され、該ハーネスＨの他端が前記可動体用基板７０にコネクタ接続される。また、後述する配線保持部材１００が、ハーネスＨの一部を保持した状態で後述する設置面８４ａと平行に揺動し得るよう台座部５６に枢支されることで、可動体５４の上下動に従動することとなるハーネスＨの動きを規制し得るようになっている。
【００２６】
(可動体５４について)
前記可動体５４は、図４に示すように、該可動体５４の外形を形成する可動体本体６０と、該可動体本体６０の前面に貼付される意匠シート７３と、該意匠シート７３に光を照射して光装飾する可動体用基板７０とから基本的に構成されている。可動体本体６０は、光透過性の合成樹脂材からなる前側ケース体６１および後側ケース体６２を前後に組み合わせることで薄型のケースとして構成されると共に、該可動体本体６０の内側には可動体用基板７０が収容されている。可動体用基板７０の前面には、ＬＥＤ等の複数の発光体(図示省略)が全体的に点在するよう配置されると共に、ハーネスＨのコネクタが接続されるソケット７１が下端部に設けられている。また、可動体用基板７０には、発光体用の回路を避けるようにして多数の開口７２が形成されており、該開口７２の位置に対応して前側および後側ケース体６１,６２にも多数の開口６３,６６が形成されている。すなわち、可動体用基板７０および可動体本体６０に多数の開口７２,６３,６６を形成することで、可動体５４を軽量化して駆動時における駆動機構５５の後述の駆動モータ７４の負担を抑えると共に、意匠シート７３を、後側に位置する図柄表示装置３５の表示面３５ａの表示光により補助的に光装飾し得るよう構成されている。
【００２７】
なお、前記前側ケース体６１に設けられる開口６３のうち中央下端部の開口は、可動体用基板７０に設けられたハーネスＨ用のソケット７１と対応して位置するソケット収納口６３ａであって、可動体本体６０に可動体用基板７０を収容した際にソケット７１をソケット収納口６３ａに収容することで、可動体５４の薄型化を図り得るようになっている。前記意匠シート７３は、キャラクタが印刷されたインク層の表面を薄い透明層(図示省略)で保護してなる光透過性の薄型シートであり、前側ケース体６１の前面に対して開口６３を避けながら外縁部位のみに接着することで配設し得るよう、裏面の外縁に沿って環状に接着層７３ａが形成されている。また、前側ケース体６１の後面には、図４に示す如く、ソケット収納口６３ａの真下に並ぶように一対の配線保持棒６４が左右方向に離間して突設されており、ソケット７１に接続されたコネクタ近傍のハーネスＨが一対の配線保持棒６４の間を通過して可動体５４から外方に延出するよう構成される。更に、前側ケース体６１に、両配線保持棒６４,６４の配設位置から下方へ延在する舌片６５が設けられており、両配線保持棒６４,６４間を通過して外方に延出するハーネスＨが前方に変位するのを舌片６５によって抑制し得るようになっている。また、舌片６５の下端縁には、配線保持部材１００から離間する側から近接する側に向けて上方傾斜する誘導傾斜面６５ａが形成されており、可動体５４が可動位置から待機位置に向けて移動する際に、舌片６５より下側でハーネスＨが前方に変位した場合において、該ハーネスＨが誘導傾斜面６５ａに当接して押し下げられる際にハーネスＨを配線保持部材１００側に誘導し得るよう構成してある。
【００２８】
前記可動体本体６０を構成する前後のケース体６１,６２は、可動体用基板７０を収容する部分では意匠シート７３のキャラクタに対応する外縁形状をなす一方、後側ケース体６２が前側ケース体６１よりも下方へ大きく膨出する形状に形成されている（図８参照)。該後側ケース体６２の下部(膨出部分)後面には、後述する揺動アーム７６の係合軸７９が係合する横長の係合溝６７が形成されていると共に、後述するスライダ９３が固定されている。また、後側ケース体６２の右下隅部(可動体５４における可動位置から待機位置への移動方向前側の端部)には、可動体５４が可動位置側から待機位置へ向けて下方へ移動する際に配線保持部材１００を押し下げるように当接する当接部６９が設けられている(図８参照)。なお、当接部６９は、実施例では弧状に形成されている。後側ケース体６２の左下隅部(膨出部分)には、台座部５６に配設された原位置センサ８２により検知される検知用リブ６８ａが後面に設けられた被検知部材６８が取付けられている。被検知部材６８の検知用リブ６８ａは、上下に延在する壁状に突設されており、可動体５４の移動に応じて、フォトセンサとしての原位置センサ８２の検知光を遮断する下端位置と、遮断しない上方位置とに移動する。この検知用リブ６８ａを原位置センサ８２が検知している状態では、可動体５４が待機位置にあることを制御装置が認識するようになっている。また、被検知部材６８の上面には、後述する磁石Ｍに磁着する板金部材(磁着部材)６８ｂが設けられている。なお、係合溝６７の横幅は、揺動アーム７６における係合軸７９の左右方向の変位を可動体本体６０の上下動に応じて許容し得る大きさに設定されている。
【００２９】
(駆動機構５５について)
前記駆動機構５５は、図４,図７に示す如く、正逆回転可能な回転軸を備える駆動モータ(駆動手段)７４と、該駆動モータ７４の回転軸に固着される駆動ギア７５と、該駆動ギア７５の回転に応じて揺動することで可動体５４を往復移動させる揺動アーム７６と、両端が外方へ延出した形状をなして巻回方向に付勢力を生じさせる捻りバネ８１とから構成されている。揺動アーム７６の基端部には、台座部５６の後述する基台部材８３に枢支される揺動軸部７７と、該揺動軸部７７と同一中心をなす円弧状に形成されて駆動ギア７５に噛合する従動ギア部７８とが設けられ、該揺動アーム７６の自由端部には、可動体本体６０の係合溝６７に係合する係合軸７９が前方へ向けて突設されている。更に、揺動アーム７６の後面には、後述する揺動開口９０ａに係入する揺動リブ８０が後方へ向けて突設されている。
【００３０】
前記台座部５６は、可動体５４および駆動機構５５が配設される基台部材８３と、該基台部材８３の後面を覆う保護プレート９０とから構成されている。基台部材８３は、可動体５４が上下に往復移動可能に設置される設置面(前面)８４ａを形成する画壁８４と、該画壁８４の設置面８４ａを略Ｕ字状に囲うことで周囲の配線等の入り込みを防止する囲い部８５とにより、前方および上方が開口した箱状に形成されている。該囲い部８５の右部分をなす駆動系設置領域８６の前面には、駆動モータ７４が回動軸を基台部材８３の後面側に挿通させるようにして取着され、後面側では該駆動モータ７４の回転軸に駆動ギア７５が固着されている。また揺動アーム７６は、駆動ギア７５に従動ギア部７８を噛合させた状態で駆動系設置領域８６の後面側に枢支され、該揺動アーム７６の自由端側に設けられる係合軸７９は、基台部材８３の画壁８４に設けられた切欠き部８４ｂを介して可動体５４の係合溝６７に係合している。すなわち、揺動アーム７６と可動体５４とは、互いの動作領域が基台部材８３により前後に区画された状態で、係合軸７９および係合溝６７によってリンクしている。更に、揺動アーム７６の基端側には、前記捻りバネ８１が巻回部分に揺動軸部７７を挿通して一端が揺動アーム７６に係止された状態で保持されると共に、該捻りバネ８１の他端は基台部材８３に係止されており、該捻りバネ８１が揺動アーム７６を図７において反時計方向(可動体５４を待機位置から可動位置に向けて付勢する方向)に回動付勢するよう構成される。
【００３１】
前記基台部材８３には、駆動系設置領域８６の前面における駆動モータ７４の下方に、後述する配線保持部材１００が取付けられている。また、囲い部８５の左側上端部には、磁石Ｍが挿着される磁石挿入部８７が後方へ開口して設けられており、該磁石挿入部８７に挿入した磁石Ｍに、可動位置に到達した可動体５４の前記板金部材６８ｂが磁力吸着されることで該可動体５４を確実に静止姿勢で保持し得るよう構成される。更に、磁石挿入部８７から下方に離間した位置には、基台部材８３の後面側から設置面８４ａに突出するように原位置センサ８２が配設されている。そして、保護プレート９０が基台部材８３の後面を覆うように取付けられることで、保護プレート９０と基台部材８３との間に原位置センサ８２が挟持されると共に磁石挿入部８７が封止され、更に揺動アーム７６が回動可能に抜け止め支持される。なお、台座部５６に揺動アーム７６が支持された状態では、揺動リブ８０が保護プレート９０に開設された扇状の揺動開口９０ａに係入し、該揺動開口９０ａの範囲内で揺動アーム７６が揺動可能になっている。
【００３２】
(ガイド機構５７について)
図４,図７に示す如く、前記ガイド機構５７は、台座部５６の設置面８４ａに固着される固定ガイド部材９１と、該固定ガイド部材９１に対して上下に摺動し得るよう配設される摺動ガイド部材９２と、該摺動ガイド部材９２に対して上下に摺動し得る状態で後側ケース体６２(可動体本体６０)の後面に配設されるスライダ９３とから構成される。固定ガイド部材９１は、上下方向を長手方向として左右に平行するよう台座部５６の設置面８４ａに取り付けられる一対の長板部材９１ａ,９１ａからなり、該一対の長板部材９１ａ,９１ａの対向縁９１ｂ,９１ｂにより設置面８４ａとの間に摺動ガイド部材９２の両側部９２ａ,９２ａを挟むことで、摺動ガイド部材９２を上下に摺動可能に支持している。また、摺動ガイド部材９２は、上下方向(長手方向)に延在する長孔９２ｂが形成された長枠状の部材であり、固定ガイド部材９１の対向縁９１ｂ,９１ｂと設置面８４ａとに挟まれる両側部９２ａ,９２ａが薄板状に形成されると共に、下端部が一対の長板部材９１ａ,９１ａの離間間隔より幅広に設定されて、該下端部が長板部材９１ａ,９１ａの下端に当接することで、当該摺動部材９２が固定ガイド部材９１の上方へ外れるのを防止し得るよう構成してある。
【００３３】
図６に示す如く、前記後側ケース体６２の後面に突設されて上下に離間するボス６２ａ,６２ａが摺動ガイド部材９２の長孔９２ｂに摺動自在に挿通された状態で、該ボス６ａ,６２ａの後端にスライダ９３がネジ止め固定されることで、摺動ガイド部材９２とスライダ９３に固定された後側ケース体６２(可動体５４)とが、長孔９２ｂに沿って相対的に上下方向に移動可能に構成されている。ガイド機構５７は、固定ガイド部材９１に沿って摺動ガイド部材９２が上下に摺動可能で、かつ該摺動ガイド部材９２に沿って可動体５４(スライダ９３)が上下に摺動し得るよう構成されることで、可動体５４の移動範囲を稼いでいる。すなわち、実施例では、固定ガイド部材９１に対して摺動ガイド部材９２が摺動し得る第１距離と、摺動ガイド部材９２に対してスライダ９３が摺動し得る第２距離とを加算した長さが、可動体５４が移動可能な範囲として設定されている。
【００３４】
(配線保持部材１００について)
図３および図８に示すように、前記基台部材８３(台座部５６)の前記駆動系設置領域８６の前面における駆動モータ７４の配設位置下方に、ハーネスＨを設置部材５０の後面側から設置面８４ａ側に引き出すための配線引き出し口８８が設けられると共に、該配線引き出し口８８から引き出されたハーネスＨを保持する配線保持部材１００が揺動自在に枢支されている。配線保持部材１００は、台座部５６の駆動系設置領域８６において後方に向けて突設された軸部８９(図５(ｂ)参照)に枢支されており、軸部８９の軸方向と交差する方向(設置面８４ａに沿う方向)に延在している。配線保持部材１００の全長は、軸部８９に枢支された状態で該枢支端部から離間する自由端部が、可動体５４の移動経路Ｒに進入し得る長さに設定される。なお、図８に、可動体５４の待機位置と可動位置との間の移動移路Ｒを二点鎖線で示してある。より具体的には、配線保持部材１００の全長は、該配線保持部材１００の自由端部が、図８(ｃ)に示す如く、前記固定ガイド部材９１における一方(配線保持部材１００に近接する側)の長板部材９１ａの前側に重なる長さに設定されて、ハーネスＨを比較的長く保持し得るよう構成されている。なお、配線保持部材１００における自由端部の後面は、長板部材９１ａの前面より僅かに前側に位置するよう設定されており、該長板部材９１ａの前側に配線保持部材１００の自由端部が重なる際に引掛かるのを防止すると共に、重なった状態での配線保持部材１００の後方への変位を規制し得るようになっている。また、配線保持部材１００は、ハーネスＨを保持していない状態では自重によって自由端部が下向きとなるように、遊嵌状態で軸部８９に枢支されている。
【００３５】
前記配線保持部材１００は、図８(ａ)に示す如く、可動体５４が待機位置にある状態では、自由端部が可動体５４における可動位置から待機位置への移動方向前側に位置する傾斜姿勢となるよう構成される。なお、実施例では、基台部材８３に設けたリブ８３ａに配線保持部材１００の側面(可動体５４から離間する側の側面)が当接することで、該配線方持部材１００が傾斜姿勢に保持されるようになっている。そして、図８(ａ)に示す姿勢の配線保持部材１００では、自由端部側の通孔１１０ａは、可動体５４の下端(後側ケース体６２)の下端より下方に位置する。この状態で通孔１１０ａは、可動体５４における可動体用基板７０のソケット７１側(ハーネスＨの可動体５４からの延出部側)に偏って開口しており、該通孔１１０ａから引き出されて引き出し端部が可動体用基板７０にコネクタ接続されたハーネスＨの引き出し部分が屈曲しないようになっている。また配線保持部材１００の通孔１１０ａは、図８(ｃ)に示す如く、可動体５４が可動位置にある状態においても、可動体５４が待機位置から可動位置に移動するのに伴ってハーネスＨによって牽引されて回動することで可動体用基板７０のソケット７１に向けて開口するようになっている。すなわち、可動体５４の待機位置において可動体用基板７０のソケット７１側に偏って通孔１１０ａが設けられた配線保持部材１００は、可動体５４が待機位置と可動位置との間を移動する際に、前記通孔１１０ａが可動体用基板７０のソケット７１側に向けて開口する姿勢に変位するよう構成されて、通孔１１０ａとソケット７１との間のハーネスＨが屈曲するのを抑制し得るようになっている。
【００３６】
前記配線保持部材１００に保持されるハーネスＨは、可動体５４が待機位置にある状態(図８(ａ)参照)では略Ｕ字状に湾曲した状態となり、可動体５４が可動位置にある状態で直線状に緊張しない長さ(図８(ｃ)参照)に設定されている。そして、可動体５４が待機位置にある状態では、配線引き出し口８８から引き出されて配線保持部材１００で保持されたハーネスＨは、配線保持部材１００から引き出された部分が可動体５４の下方を左右方向に延在した後に先端部に設けたコネクタが可動体用基板７０のソケット７１に下方から接続されるようになっている。また、軸部８９は、配線引き出し口８８の下方近傍かつ僅かに可動体５４側へ偏倚した位置に設けられ、枢支した配線保持部材１００がハーネスＨの配線引き出し口８８に近い部位を保持し得るよう構成してある。なお、配線保持部材１００に保持されるハーネスＨは、可動体５４が待機位置にある状態では下方の囲い部８５の上面に当接しない長さに設定するのが好ましい。
【００３７】
図５(ａ)に示すように、前記配線保持部材１００は、台座部５６に枢支されるベース体１０１と、該ベース体１０１の前側に着脱自在に取付けられる蓋部材１０７とから全体として細長い四角筒状に構成され、ベース体１０１と蓋部材１０７とを組付けた状態で、長手方向両端に外側方に開口する通孔１１０ａ,１１０ｂ(図８参照)が形成されると共に、両通孔１１０ａ,１１０ｂが連通する配線通路(通路)１１０が内部画成される。前記ベース体１０１は、平板状をなす底壁部１０２の短手方向に対向する一対の側壁部１０２ａ,１０２ｂが前方へ突設されることで、短手方向の断面がコ字状に形成されている。一対の側壁部１０２ａ,１０２ｂのうち、可動体５４から離間する側に位置する一方の側壁部１０２ａは、底壁部１０２の一方の側縁に沿って設けられると共に、自由端側が底壁部１０２の端縁に沿って弧状に延設されている。一方、可動体５４に近接する側に位置する他方の側壁部１０２ｂは、底壁部１０２の他方の側縁に沿って平板状に形成されて、該他方の側壁部１０２ｂと一方の側壁部１０２ａとの端部間に隙間が形成されている。一方の側壁部１０２ａの内側面に、蓋部材１０７を位置決めするための２つの位置決めボス１０３,１０３が長手方向に離間して内側に膨出した状態で一体的に設けられると共に、他方の側壁部１０２ｂの内側面に、蓋部材１０７をネジ止めするためのネジ止めボス１０４が内側に膨出した状態で一体的に設けられている。なお、ネジ止めボス１０４は、ベース体１０１の長手方向において両位置決めボス１０３,１０３の略中間に位置している。一対の側壁部１０２ａ,１０２ｂは、蓋部材１０７を底壁部１０２と平行な状態に支持し得るよう、突出長が等しくされている。また、蓋部材１０７がベース体１０１に取付けられた状態では、各側壁部１０２ａ,１０２ｂの内面側に形成された位置決めボス１０３,１０３およびネジ止めボス１０４により、定幅の直進路を僅かに非直線状(蛇行状)に狭めた形状の配線通路１１０が内部画成される。
【００３８】
更に、配線通路１１０の自由端側において、両側壁部１０２ａ,１０２ｂにおける自由端側の端部間に形成される通孔１１０ａは、配線保持部材１００の自由端から他方の側縁に亘って形成されて、該通孔１１０ａが、可動体５４の待機位置において該可動体５４の可動体用基板７０に接続されて前記配線保持棒６４,６４の間から下方に延在するハーネスＨの延出部側に偏って開口するよう構成される。また、台座部５６に枢支された配線保持部材１００における自由端部側の通孔１１０ａは、図６に示す如く、可動体５４からのハーネスＨの延出部(具体的には前後のケース体６１,６２の間)と略同一平面上で開口するよう構成されて、該平面上で配線保持部材１００が可動体５４の移動に伴って回動するよう構成される。すなわち、通孔１１０ａから引き出されて前後のケース体６１,６２の間に引き込まれているハーネスＨが、可動体５４および配線保持部材１００の移動に際して前後方向に変位するのを抑制し得るようになっている。
【００３９】
前記ベース体１０１における底壁部１０２の基端側(枢支端側)には、図５(ｂ)に示すように、台座部５６の軸部８９に枢支される軸挿通部(一端部)１０５が連設されると共に、該軸挿通部１０５を介して嵌合部材１０６がネジＮにより軸部８９に固定されている。軸挿通部１０５は、前面が底壁部１０２の前面と面一に設けられると共に底壁部１０２の後面よりも後方へ膨出した形状に形成され、内径が大きな第１内周面１０５ａと、該第１内周面１０５ａより小径の第２内周面１０５ｂとが段部を介して連設された内面によって挿通口が形成されている。嵌合部材１０６は、円筒状の筒部１０６ａの前端にフランジ１０６ｂが形成されている。筒部１０６ａは、軸挿通部１０５における第２内周面１０５ｂの内径よりも小径に形成されると共に、フランジ１０６ｂは第２内周面１０５ｂよりも大径で、かつ第１内周面１０５ａよりも小径となる大きさに形成されている。また、軸挿通部１０５および嵌合部材１０６は、配線保持部材１００が台座部５６に枢支された状態における駆動系設置領域８６の前面と嵌合部材１０６のフランジ１０６ｂとの最短距離が、軸挿通部１０５の第２内周面１０５ｂの軸方向の幅より大きくなるよう設定されている。すなわち、配線保持部材１００は、軸挿通部１０５の挿通口に第２内周面１０５ｂ側から軸部８９を挿入した後、第１内周面１０５ａ側から嵌め込んだ嵌合部材１０６を軸部８９にネジ止めすることで台座部５６に枢支され、該枢支された状態で台座部５６および嵌合部材１０６の間に軸挿通部１０５が遊嵌されるよう構成されている。
【００４０】
前記蓋部材１０７は、図５(ａ)に示すように、光透過性の合成樹脂材によりベース体１０１の底壁部１０２に対応する大きさの平板状に形成されている。また、可動体５４から離間する側の一方の側縁に沿う位置には、ベース体１０１に設けられた２つの位置決めボス１０３,１０３が嵌入する２つの位置決め開口１０８,１０８が設けられており、可動体５４に近接する側の他方の側縁に沿う位置には、ベース体１０１のネジ止めボス１０４にネジ止めされるネジ止め孔１０９が設けられている。なお、位置決め開口１０８,１０８が板厚方向だけでなく側方へも開口する切欠き状に設けられていることで、蓋部材１０７をコンパクトに成形し得ると共に、ベース体１０１に対する位置決めを容易に解除し得るようになっている。
【００４１】
〔実施例の作用〕
次に、前述した実施例に係るパチンコ機１０の作用につき説明する。
【００４２】
図７(ａ)に示すように、前記可動体５４が待機位置に位置する状態で、前記駆動機構５５は、揺動アーム７６が揺動範囲の下端に位置し、摺動ガイド部材９２およびスライダ９３が何れも摺動下端に位置する状態で、駆動ギア７５が従動ギア部７８の回動を阻止している。この状態において、可動体５４の係合溝６７に係合する揺動アーム７６の係合軸７９には、揺動アーム７６を押し下げる方向に可動体５４の重みがかかるが、本実施例では、揺動アーム７６の基端側に保持された捻りバネ８１の付勢力により、揺動アーム７６にかかる押し下げ力が軽減されていると共に、意匠シート７３の採用や可動体本体６０や可動体用基板７０に設けた複数の開口６３,６６,７２により可動体５４の軽量化が図られている。従って、可動体５４を待機位置から上昇させる際に駆動モータ７４にかかる負荷を小さくでき、可動体５４をスムーズに上昇移動させることができる。なお、可動体５４の待機位置では、前記被検知部材６８の検知用リブ６８ａにより原位置センサ８２の検知光が遮断(オフ)されている。
【００４３】
前記可動体５４を動作させるべく駆動モータ７４を回転駆動すると、前記駆動ギア７５と従動ギア部７８との噛合作用下に、揺動アーム７６が上昇して可動体５４の係合溝６７を押し上げる。ここで、係合軸７９は、揺動アーム７６の揺動軸部７７を支点とする弧状に上昇するが、可動体５４は、ガイド機構５７により左右への変位が規制されているので、該可動体５４は、係合溝６７の幅内で係合軸７９の左右移動を許容しながら係合軸７９の押し上げ力を継続的に受け、摺動ガイド部材９２に対するスライダ９３の摺動に従って上方へ移動する。
【００４４】
図７(ｂ)に示すように、前記可動体５４に設けたスライダ９３が摺動ガイド部材９２の長孔９２ｂの内縁上端に当接すると、スライダ９３の摺動ガイド部材９２に対する変位が規制されるが、以後はスライダ９３に押し上げられて摺動ガイド部材９２が固定ガイド部材９１に沿って上方へ摺動することで、スライダ９３および可動体５４の更なる上昇移動が許容される。そして、図７(ｃ)に示すように、可動体５４が可動位置に到達すると、前記駆動モータ７４が停止制御され、該可動体５４は可動位置に保持される。このとき、可動体５４に設けた板金部材６８ｂが磁石Ｍに磁力吸着されることにより、可動体５４は可動位置で安定的に静止した状態に保持される。そして、前記駆動モータ７４を逆方向に回転駆動すると、前記駆動ギア７５と従動ギア部７８との噛合作用下に、揺動アーム７６が下降して可動体５４が可動位置から待機位置に戻り、前記被検知部材６８の検知用リブ６８ａにより原位置センサ８２の検知光が遮断されたときに、駆動モータ７４を停止制御することで可動体は待機位置に保持される。
【００４５】
次に、前記可動体５４の移動に伴う配線保持部材１００の作用につき説明する。
図８(ａ)に示すように、前記可動体５４が待機位置に位置する状態において、ハーネスＨにおける可動体５４に近い一端側は、可動体用基板７０に固定されたソケット７１レクタから一対の配線保持棒６４,６４の間を通って直下方向(可動体５４の可動位置から待機位置への移動方向前方)へ延在し、ハーネスＨ全体としては可動体５４と配線引き出し口８８との間で略Ｕ字状に大きく湾曲している。配線保持部材１００はこのハーネスＨの形状に沿うよう、鉛直姿勢よりも僅かに下端(自由端部)が可動体５４側へ寄った傾斜姿勢でハーネスＨの他端側(配線引き出し口８８側)を保持している。配線保持部材１００はこのハーネスＨの形状に沿うよう、鉛直姿勢よりも僅かに下端(自由端部)が可動体５４側へ寄った傾斜姿勢でハーネスＨの他端側(配線引き出し口８８側)を保持している。なお、配線通路１１０の内部では、ハーネスＨが該配線通路１１０の形状に沿って湾曲状態で保持されると共に、該湾曲形状に沿って通孔１１０ａ,１１０ｂの各中央を通るように延在している。
【００４６】
前記可動体５４が待機位置から上方への移動を開始すると、可動体５４に従動するハーネスＨに牽引されて配線保持部材１００が自由端部を軸部８９の下方位置から可動体用基板７０のソケット７１へ近づけるように回動を開始し、自由端部が軸部８９と同じ高さに至るまでの間には、図８(ｂ)に示すように、可動体５４の移動経路Ｒに自由端部が入り込んだ状態となる。すなわち、配線保持部材１００は、可動体５４の上昇に伴う上方への回動により自由端部を大きく可動体５４側に移動させ得る全長(軸部８９に対する径方向の延在長さ)とされている。従って、可動体５４の上昇に応じてハーネスＨが湾曲を緩めるように上方へ引っ張られていくのに対して、可動体用基板７０のソケット７１と、配線保持部材１００の自由端部との水平方向の距離は大幅に縮小されるから、可動体５４が上昇しても、ハーネスＨの一端側が直下へ延在する姿勢は大きく変位することはない。
【００４７】
図８(ｃ)に示すように、前記可動体５４が可動位置に到達した状態では、配線保持部材１００の自由端部と、可動体用基板７０のソケット７１との距離が最も大きくなり、これに応じてハーネスＨが最も直線に近くなる。この状態において、配線保持部材１００は、自由端部が軸部８９の高さを僅かに越える高さに位置している。すなわち、配線保持部材１００の揺動範囲は、該配線保持部材１００の自由端部が軸部８９と水平に並ぶ状態(配線保持部材１００が水平に延在する状態)を基準として上側となる揺動範囲が、下側となる揺動範囲よりも小さくなるよう設定されている。そして、可動体５４が可動位置に到達した際の配線保持部材１００の姿勢においても、自由端部側の通孔１１０ａが可動体５４の可動体用基板７０のソケット７１に向いており、該通孔１１０ａから引き出されて可動体用基板７０にコネクタ接続されたハーネスＨが屈曲することなく略直線状に延在し、該ハーネスＨに大きな負荷が加わることはない。なお、配線保持部材１００の自由端部の後面は、固定ガイド部材９１における一方の長板部材９１ａの前面に重なっている。
【００４８】
前記可動体５４が可動位置から待機位置へ向けて下降する場合において、可動体５４の進行方向に位置するハーネスＨは、可動体５４に押されて下方へ退避することで、可動体５４との干渉が防止される。ここで、配線保持部材１００は、軸部８９に遊嵌されているため、通常はハーネスＨの退避に従って下方へ回動するが、可動体５４と配線保持部材１００との間に位置するハーネスＨの姿勢、あるいは配線保持部材１００の設置状態の不具合やゴミの混入等といった何らかの原因により、ハーネスＨによってのみでは配線保持部材１００が回動しない事態が生ずるおそれがある。しかるに、本実施例では、可動体５４が可動位置から下降する場合に、配線保持部材１００の自由端部が可動体５４の移動経路Ｒに位置している。従って、配線保持部材１００がハーネスＨの移動を受けても下方へ回動しない状態に陥った場合には、下降してくる可動体５４の当接部６９が配線保持部材１００に当接して直接的かつ強制的に配線保持部材１００を押し下げることができる。これにより、配線保持部材１００の自由端部を可動体５４から離間して、可動体５４に対するハーネスＨの引っ掛かりを防ぐことができる。また、可動体５４の当接部６９は、配線保持部材１００における自由端側の通孔１１０ａより基端側(揺動支点側)に当接するように設定されているので、可動体５４の当接部６９と配線保持部材１００との間にハーネスＨが噛み込まれるのは防止される。
【００４９】
前述したように、実施例に係るパチンコ機１０では、配線保持部材１００の全長を、軸部８９に枢支された状態で自由端部が可動体５４の移動経路Ｒに至る長さに設定した。これにより、ハーネスＨを比較的長く保持し得ることで可動体５４の動作に係るハーネスＨの可動部位を小さく制限できると共に、配線保持部材１００が自重によっては下方へ回動しない事態が生じたとしても、可動体５４の当接部６９により強制的に配線保持部材１００を押し下げて可動体５４に対するハーネスＨの引っ掛かりを防ぐことができる。従って、可動体５４の動作がハーネスＨによって阻害されたり、ハーネスＨのコネクタが可動体用基板７０のソケット７１から外れる問題が発生するのを防止し得る。
【００５０】
また、可動体５４が待機位置から上方へ移動する場合に配線保持部材１００の自由端部を可動体５４側に移動させることで、可動体用基板７０のソケット７１と、配線保持部材１００の自由端部との水平方向の距離が大幅に縮小されるよう構成した。また、配線保持部材１００の揺動範囲を、配線保持部材１００が水平に延在する状態を基準としたとき、基準位置より上側への揺動範囲が下側への揺動範囲よりも小さくなるよう設定した。これにより、ハーネスＨの一端側が可動体５４の一連の動作の際に動き難くなり、ハーネスＨのうち可動体用基板７０のソケット７１に接続されるコネクタとそれに接合する配線部分との間に生じる負荷が軽減される。従って、ハーネスＨの断線やコネクタ抜けを防止し得る。
【００５１】
前記可動体用基板７０の前面に対向する前側ケース体６１の後面に、ソケット７１の真下に並ぶ一対の配線保持棒６４を設け、コネクタから配線が直下へ延出するハーネスＨの正常姿勢が維持されるよう可動体５４を構成した。これにより、可動体５４の下方移動に応じてハーネスＨにおけるコネクタとの接合部分に交差方向への引っ張り力が働かず、コネクタとの接合部位に生じ易い折れや断線を防止し得る。また、可動体５４が可動位置にある状態でハーネスＨが最も直線に近くなるよう構成すると共に、可動体５４が可動位置にある場合に、配線保持部材１００における自由端部の後面が固定ガイド部材９１の前面で支持可能に構成した。すなわち、ハーネスＨに遊びが少ない状態において配線保持部材１００が後方から支持されてガタつきが抑えられることで、ハーネスＨが直線状に緊張する状態が生じるのを防止し得る。
【００５２】
前記配線保持部材１００は、可動体５４が待機位置と可動位置との間を移動する際に、自由端部側の通孔１１０ａが常に可動体用基板７０のソケット７１側に開口する姿勢に変位するよう構成したので、可動体５４が移動する際に通孔１１０ａとソケット７１との間のハーネスＨが屈曲するのを抑制し、可動体５４に絡んだりハーネスＨの断線やコネクタ抜けを防止することができる。また、配線保持部材１００は、自由端側の通孔１１０ａが可動体５４からのハーネスＨの延出部(具体的には前後のケース体６１,６２の間)と略同一平面上に位置する状態で回動するようにしたので、通孔１１０ａとソケット７１との間のハーネスＨが前後に変位するのを抑制することができ、ハーネスＨが可動体５４やガイド機構５７に絡んだりハーネスＨの断線やコネクタ抜けをより防止することができる。更に、可動体５４が可動位置から待機位置へ移動する際にハーネスＨの移動に伴って回動する配線保持部材１００は、自由端部が鉛直姿勢よりも可動体５４から離間する側を向く傾斜姿勢となるのが前記リブ８３ａで防止される。言い替えれば、配線保持部材１００は、可動体５４の待機位置においては、自由端部が可動体５４側へ寄った傾斜姿勢にリブ８３ａで保持されるので、可動体５４が可動位置へ向けて移動する際にはハーネスＨに牽引されて該配線保持部材１００は自由端部が可動体５４の移動経路Ｒ側へ円滑に回動する。更にまた、通孔１１０ａを画成する側壁部１０２ａは、可動体用基板７０のソケット７１側とは反対側(通孔１１０ａの開口側とは反対側)では配線通路１１０を閉塞しているので、可動体５４が可動位置から待機位置に移動する際に、ハーネスＨが側壁部１０２ａで位置規制されて意図しない方向に変位してしまうのを防止することができる。
【００５３】
前記配線通路１１０が位置決めボス１０３,１０３およびネジ止めボス１０４により非直線状(蛇行状)となるよう内部画成され、通孔１１０ａが可動体５４側へ偏倚した位置に画成されるよう配線保持部材１００を構成した。これにより、ハーネスＨ自体の弾性を利用して配線通路１１０にハーネスＨの一部を保持させることができるため、配線保持部材１００を簡易な形状とすることができる。また、軸挿通部１０５が設けられるベース体１０１とは別体の嵌合部材１０６を備え、軸挿通部１０５を挟むようにして嵌合部材１０６を軸部８９にネジ止めすることで、嵌合部材１０６および台座部５６の間で配線保持部材１００が遊嵌状態で枢支されるよう構成した。すなわち、ネジＮを強く締結しすぎたとしても配線保持部材１００が揺動し難くなることがないため、配線保持部材１００がハーネスＨの動作を阻害せず、ハーネスＨの断線やコネクタ抜けを防止し得る。
【００５４】
前記可動体５４およびハーネスＨの動作領域と、揺動アーム７６の動作領域とが基台部材８３によって区画されるよう構成したので(図６参照)、ハーネスＨが揺動アーム７６に引っ掛かりハーネスＨの破損や可動体５４の動作不良が生じる不具合を防止し得る。また、前側ケース体６１の下端縁より後側ケース体６２を下方に延出するよう構成し、該後側ケース体６２の前側を下方に向けてハーネスＨが延在するよう構成したので、該ハーネスＨがガイド機構５７の配設側(後側)へ変位するのを後側ケース体６２で抑制することができ、ハーネスＨがガイド機構５７に絡むのを防ぐことができる。また、前側ケース体６１の下端縁から舌片６５を延出すると共に、該舌片６５の下端縁に、配線保持部材１００側を向く誘導傾斜面６５ａを形成してある。これにより、可動体５４の下方移動によってハーネスＨが押し下げられる際に、ハーネスＨが前側に湾曲したとしても、該湾曲部分は誘導傾斜面６５ａに沿って配線保持部材１００側に誘導されるため、配線保持部材１００のスムーズな回動が許容される。更に、実施例では、可動体５４が移動自在に配設される基台部材８３を箱状に形成し、可動体５４から延出するハーネスＨを、該ハーネスＨの延出部と対向する囲い部８５で受け得るよう構成してあるので、可動体５４が可動位置から待機位置に移動した際にハーネスＨが基台部材８３の外側方に延出するのを防止して他部品に引掛かるのを確実に防ぐことができる。
【００５５】
ここで、前記可動体５４の待機位置において、該可動体５４から下方に延在するハーネスＨが基台部材８３の囲い部８５に当接して湾曲した場合に、該ハーネスＨの弾性によって配線保持部材１００が、自由端部を可動体５４に近接する方向に大きく回動されるおそれがある。しかるに、実施例では、可動体５４の当接部６９に配線保持部材１００が当接することで、該配線保持部材１００の自由端部が可動体５４の下方に近接する方向の回動は規制されるので、自由端部の通孔１１０ａから引き出されているハーネスＨが可動体５４の下側で大きく移動するのは防止され、該ハーネスＨが可動体５４に絡むのを防ぐことができる。
【００５６】
また、待機位置にある可動体５４と配線引き出し口８８との間でハーネスＨが略Ｕ字状に吊り下がるのに対し、軸部８９を配線引き出し口８８の下方近傍かつ可動体５４側へ偏倚した位置に設けた。これにより、最も滞在時間が長くなる待機位置に可動体５４がある状態で、配線保持部材１００における通孔１１０ａの縁を基点としたハーネスＨの折れを生じさせることがなく、自然な状態で配線保持部材１００がハーネスＨを保持し得る。
【００５７】
〔変更例について〕
なお、本発明に係る遊技機の構成としては、前述した実施例に示したものに限らず、種々の変更が可能で、例えば以下のものを採用可能である。
(1) 実施例では、可動体が設置面に沿って上下方向に移動するよう構成したが、左右方向その他の方向に移動するよう構成してもよい。また、直線方向ではなく回動方向に移動するよう構成してもよい。
(2) 実施例では、可動体に電気部品として可動体用基板を設置したが、電気部品としてはこれに限定されるものでなく、可動体に設けられる可動部材を動作させるためのモータやソレノイド等の駆動手段であってもよい。
(3) 実施例では、配線保持部材をベース体と蓋部材とから構成したが、ハーネスを挿通する通孔および案内する通路を備える筒状の部材であってもよい。
(4) 実施例では、配線保持部材を細長い矩形筒状に構成したが、ハーネスの湾曲に沿うよう曲筒状に構成してもよい。その他、複数の部材を延在方向に軸連結し、配線通路を変形させ得るように構成してもよい。
(5) 実施例では、可動体を駆動モータによって移動するよう構成したが、可動体を移動する駆動手段は、ソレノイドやその他公知の手段を採用可能である。
(6) 遊技機としては、パチンコ機に限られるものではなく、アレンジボール機やパチンコ球を用いたスロットマシン等、その他各種の遊技機であってもよい。
【符号の説明】
【００５８】
４９ 中継基板(基板)
５０ 設置部材(設置部)
５４ 可動体
６９ 当接部
７０ 可動体用基板(電気部品)
７４ 駆動モータ(駆動手段)
８４ａ 設置面(台座部の前面)
１００ 配線保持部材
１０１ ベース体
１０５ 軸挿通部(一端部)
１０７ 蓋部材
１１０ 配線通路(通路)
１１０ａ 通孔
Ｈ ハーネス(配線)
Ｒ 移動経路
【図１】
2014100351.tif 000003
【図２】
2014100351.tif 000004
【図３】
2014100351.tif 000005
【図４】
2014100351.tif 000006
【図５】
2014100351.tif 000007
【図６】
2014100351.tif 000008
【図７】
2014100351.tif 000009
【図８】
2014100351.tif 000010